(57)【要約】【課題】温度、湿度などの環境条件が変化する場合であっても、表示品質の低下を防止することが可能な液晶表示装置およびその駆動方法を提供する。【解決手段】光漏れ情報記憶手段１９が、環境温度Ｔおよび環境湿度Ｈに対応して液晶表示パネル１１が黒表示したときの光漏れ発生領域および光漏れ量を画素ごとに予め記憶しており、検出された環境温度Ｔおよび環境湿度Ｈに相当する光漏れ発生領域および光漏れ量を光漏れ情報記憶手段１９により推定し、駆動信号補正手段２１が該推定された光漏れ量をキャンセルするように駆動信号を画素ごとに補正して、環境温度Ｔおよび環境湿度Ｈによる光学特性の変化に起因する光漏れを防止する。【選択図】図１
2009162873.tif 000002
【特許請求の範囲】
【請求項１】
少なくとも一方に電極が形成され、液晶層を挟んで対向配置された一対の基板を有する液晶セル、および前記液晶セルの外側に配置された偏光板を備えた液晶表示パネルと、前記液晶表示パネルに画像表示のための駆動信号を出力する表示駆動手段と、を備えた液晶表示装置であって、
環境温度および環境湿度に対応して、前記液晶表示パネルを黒表示した際の前記液晶表示パネルの光漏れ発生領域および光漏れ量をそれぞれ予め求めて記憶する光漏れ情報記憶手段と、
前記液晶表示パネルの環境温度を検出する温度検出手段と、
前記液晶表示パネルの環境湿度を検出する湿度検出手段と、
前記温度検出手段により検出した環境温度検出値および前記湿度検出手段により検出した環境湿度検出値に相当する光漏れ発生領域および光漏れ量を、前記光漏れ情報記憶手段により推定して求め、前記液晶パネルの光漏れがキャンセルされるように前記駆動信号を補正する駆動信号補正手段と、
を備えた液晶表示装置。
【請求項２】
請求項１記載の液晶表示装置であって、
前記温度検出手段および前記湿度検出手段が、前記液晶表示パネルの画像表示領域の外側に配置されている液晶表示装置。
【請求項３】
請求項１または請求項２記載の液晶表示装置であって、
前記液晶セルの液晶が、ＴＮ（Ｔｗｉｓｔｅｄ  Ｎｅｍａｔｉｃ）型、ＯＣＢ（Ｏｐｔｉｃａｌｌｙ  Ｃｏｍｏｅｎｓａｔｏｒｙ  Ｂｅｎｄ）型のうちいずれかの液晶であり、
前記駆動信号補正手段は、前記液晶表示パネルの画像表示面の周辺領域に対する駆動信号レベルを中心領域に対する駆動信号レベルよりも高く設定する液晶表示装置。
【請求項４】
請求項１または請求項２記載の液晶表示装置であって、
前記液晶セルの液晶が、ＶＡ（Ｖｅｒｔｉｃａｌ  Ａｌｉｇｎｍｅｎｔ）型、ＩＰＳ（Ｉｎ―Ｐｌａｎｅ  Ｓｗｉｔｃｈｉｎｇ）型のうちいずれかの液晶であり、
前記駆動信号補正手段は、前記液晶表示パネルの画像表示面の周辺領域に対する駆動信号レベルを中心領域に対する駆動信号レベルよりも低く設定する液晶表示装置。
【請求項５】
温度検出手段により液晶表示パネルの環境温度を検出する工程と、
湿度検出手段により前記液晶表示パネルの環境湿度を検出する工程と、
前記液晶表示パネルの表示単位となる画素ごとに環境温度、環境湿度、および前記環境温度と前記環境湿度に対応して、前記液晶表示パネルを黒表示した際の前記液晶表示パネルの光漏れ量を記憶した画素特性テーブルから、前記温度検出手段により検出された環境温度検出値および前記湿度検出手段により検出された湿度検出値に相当する光漏れ発生領域および光漏れ量を推定する工程と、
該推定された前記液晶パネルの光漏れがキャンセルされるように前記画素ごとで駆動信号を補正する工程と、
を含む液晶表示装置の駆動方法。
【請求項６】
温度検出手段により液晶表示パネルの環境温度を検出する工程と、
湿度検出手段により前記液晶表示パネルの環境湿度を検出する工程と、
前記液晶表示パネルの表示単位となる画素を所定サイズに纏めたブロックごとに環境温度、環境湿度、および前記環境温度と前記環境湿度に対応して、前記液晶表示パネルを黒表示した際の前記液晶表示パネルの光漏れ量を記憶した画素特性テーブルから、前記温度検出手段により検出された環境温度検出値および前記湿度検出手段により検出された湿度検出値に相当する光漏れ発生領域および光漏れ量を推定する工程と、
該推定された前記液晶パネルの光漏れがキャンセルされるように前記ブロックごとで駆動信号を補正する工程と、
を含む液晶表示装置の駆動方法。
【請求項７】
請求項５または請求項６記載の液晶表示装置の駆動方法であって、
前記駆動信号の補正が、駆動信号レベルの高低を調整する補正である液晶表示装置の駆動方法。
【発明の詳細な説明】
【技術分野】
【０００１】
本発明は、液晶表示装置およびその駆動方法に関し、特に、液晶表示パネルの光漏れや表示むらの発生を防止する技術に関する。
【背景技術】
【０００２】
液晶表示装置は、一般的に液晶セル、直線偏光板、光学補償フィルム及び駆動回路により構成されている。透過型の液晶表示装置の場合は、２枚の偏光板をクロスニコル状態で液晶セルの両側に配置し、１枚又は複数枚の光学補償フィルムを液晶セルと偏光板との間に配置している。また、反射型の液晶表示装置の場合は、反射板、液晶セル、１枚の光学補償フィルム、１枚の偏光板の順に配置している。偏光板は透明保護膜と偏光膜とからなり、偏光板の透明保護膜を光学補償フィルムとした楕円偏光板とすることもある。液晶セルは、棒状液晶性分子と、それを封入するための２枚の基板と、棒状液晶性分子に電圧を加えるための電極層とからなる。
【０００３】
液晶セルについては、棒状液晶性分子の配向状態が違う様々な種類のものが存在している。すなわち、透過型の液晶セルについては、ＴＮ（Twisted Nematic）、ＩＰＳ（In-Plane Switching）、ＦＬＣ（Ferroelectric Liquid Crystal）、ＯＣＢ（Optically Compensatory Band）、ＳＴＮ（Super Twisted Nematic）、ＶＡ（Vertically Aligned）、ＥＣＢ（Electrically Controlled Birefringence）があり、反射型の液晶セルについては、ＴＮ（Twisted Nematic）、ＨＡＮ（Hybrid Aligned Nematic）、ＧＨ（Guest-Host）のような形式（表示モード）のものが提案されている。
【０００４】
近年、液晶表示装置の大型化が進み、これに伴って特に黒色を表示している状態において、表示のための画像信号とは無関係に、表示画面の一部に光漏れ現象が生じる傾向がある。光漏れの生じる領域は、液晶セルの種類によって異なり、図９に示すように、ＴＮ、ＯＣＢ型の液晶セル１では表示画面の上下、左右の縁部３に生じ、また、ＶＡ、ＩＰＳ型の液晶セル５では表示画面の四隅７に光漏れ現象が生じる傾向がある。このような光漏れは、表示画像とは無関係に特定の視野方向に生じるため、大型の液晶表示装置では著しい表示品位の低下につながる虞がある。
【０００５】
光漏れや表示むらが生じる要因としては、液晶表示装置の温度分布に伴って生じる液晶の閾値電圧の変動に起因する表示むらや、環境温湿度の変化に伴い偏光板の構成部材が収縮、膨張したときの応力複屈折による光学補償フィルムの特性変化に起因する光漏れがある。
【０００６】
このような温度分布に起因する画像の表示むらの発生を防止するようにした液晶表示装置としては、検出された液晶表示装置の周囲温度分布に基づいて、液晶表示パネルに供給する走査電圧を個別に調整することにより、バックライトユニットの発熱によって生じる表示むらの発生を防止するようにした技術が知られている（例えば、特許文献１参照。）。
【特許文献１】特開平１０−３０１０９４号公報
【発明の開示】
【発明が解決しようとする課題】
【０００７】
しかしながら、光学補償フィルムの光学特性（レターデーション）は、環境温度だけではなく、環境湿度によっても大きな影響を受ける。環境湿度の影響によって黒色表示時に、液晶表示パネルに光漏れが生じて純粋な黒色とならないことかあり、特許文献１のように検出した環境温度に応じて印加電圧を制御するだけでは、望ましい表示品質が得られないのが実情である。
【０００８】
本発明は、上記事情に鑑みてなされたもので、その目的は、温度、湿度などの環境条件が変化する場合であっても、表示品質の低下を防止することが可能な液晶表示装置およびその駆動方法を提供することにある。
【課題を解決するための手段】
【０００９】
本発明の上記目的は、下記液晶表示装置によって達成される。
（１）    少なくとも一方に電極が形成され、液晶層を挟んで対向配置された一対の基板を有する液晶セル、および前記液晶セルの外側に配置された偏光板を備えた液晶表示パネルと、前記液晶表示パネルに画像表示のための駆動信号を出力する表示駆動手段と、を備えた液晶表示装置であって、
環境温度および環境湿度に対応して、前記液晶表示パネルを黒表示した際の前記液晶表示パネルの光漏れ発生領域および光漏れ量をそれぞれ予め求めて記憶する光漏れ情報記憶手段と、
前記液晶表示パネルの環境温度を検出する温度検出手段と、
前記液晶表示パネルの環境湿度を検出する湿度検出手段と、
前記温度検出手段により検出した環境温度検出値および前記湿度検出手段により検出した環境湿度検出値に相当する光漏れ発生領域および光漏れ量を、前記光漏れ情報記憶手段により推定して求め、前記液晶パネルの光漏れがキャンセルされるように前記駆動信号を補正する駆動信号補正手段と、
を備えた液晶表示装置。
【００１０】
上記構成の液晶表示装置によれば、光漏れ情報記憶手段が、環境温度および環境湿度に対応して液晶表示パネルが黒表示したときの光漏れ発生領域および光漏れ量をそれぞれ予め記憶しており、温度検出手段と湿度検出手段により検出された環境温度および環境湿度に相当する光漏れ発生領域および光漏れ量を光漏れ情報記憶手段により推定して、駆動信号補正手段が該推定された光漏れ量をキャンセルするように駆動信号を補正するので、環境温度および環境湿度による光学補償フィルムの光学特性の変化に起因する光漏れを防止し、表示品質の低下を防止することができる。
【００１１】
（２）  （１）記載の液晶表示装置であって、
前記温度検出手段および前記湿度検出手段が、前記液晶表示パネルの画像表示領域の外側に配置されている液晶表示装置。
【００１２】
上記構成の液晶表示装置によれば、温度検出手段および湿度検出手段が、液晶表示パネルの画像表示領域の外側に配置されているので、液晶表示装置の表示に影響を及ぼすことなく、液晶表示装置の環境温度および環境湿度を検出することができる。
【００１３】
（３）  （１）または（２）記載の液晶表示装置であって、
前記液晶セルの液晶が、ＴＮ（Ｔｗｉｓｔｅｄ  Ｎｅｍａｔｉｃ）型、ＯＣＢ（Ｏｐｔｉｃａｌｌｙ  Ｃｏｍｏｅｎｓａｔｏｒｙ  Ｂｅｎｄ）型のうちいずれかの液晶であり、
前記駆動信号補正手段は、前記液晶表示パネルの画像表示面の周辺領域に対する駆動信号レベルを中心領域に対する駆動信号レベルよりも高く設定する液晶表示装置。
【００１４】
上記構成の液晶表示装置によれば、液晶セルの液晶がＴＮ型またはＯＣＢ型であり、駆動信号補正手段は、液晶表示パネルの周辺領域に対する駆動信号レベルを補正して、中心領域に対する駆動信号レベルよりも高く設定するので、ノーマリホワイトの液晶セルにおいて液晶表示パネルの周辺領域に発生する光漏れを防止して高品質の表示を行うことができる。
【００１５】
（４）  （１）または（２）記載の液晶表示装置であって、
前記液晶セルの液晶が、ＶＡ（Ｖｅｒｔｉｃａｌ  Ａｌｉｇｎｍｅｎｔ）型、ＩＰＳ（Ｉｎ―Ｐｌａｎｅ  Ｓｗｉｔｃｈｉｎｇ）型のうちいずれかの液晶であり、
前記駆動信号補正手段は、前記液晶表示パネルの画像表示面の周辺領域に対する駆動信号レベルを中心領域に対する駆動信号レベルよりも低く設定する液晶表示装置。
【００１６】
上記構成の液晶表示装置によれば、液晶セルの液晶がＶＡ型またはＩＰＳ型であり、駆動信号補正手段は、液晶表示パネルの周辺領域に対する駆動信号レベルを補正して、中心領域に対する駆動信号レベルよりも低く設定するので、ノーマリブラックの液晶セルにおいて液晶表示パネルの周辺領域に発生する光漏れを防止して高品質の表示を行うことができる。
【００１７】
（５）  温度検出手段により液晶表示パネルの環境温度を検出する工程と、
湿度検出手段により前記液晶表示パネルの環境湿度を検出する工程と、
前記液晶表示パネルの表示単位となる画素ごとに環境温度、環境湿度、および前記環境温度と前記環境湿度に対応して、前記液晶表示パネルを黒表示した際の前記液晶表示パネルの光漏れ量を記憶した画素特性テーブルから、前記温度検出手段により検出された環境温度検出値および前記湿度検出手段により検出された湿度検出値に相当する光漏れ発生領域および光漏れ量を推定する工程と、
該推定された前記液晶パネルの光漏れがキャンセルされるように前記画素ごとで駆動信号を補正する工程と、
を含む液晶表示装置の駆動方法。
【００１８】
上記の液晶表示装置の駆動方法によれば、各画素からの光漏れを確実に防止して、高精細な表示品質の表示を行うことができる。また、環境温度および環境湿度に基づいて画素ごとで駆動信号を補正するので、温度変化に起因する液晶表示パネルの表示むらを抑制することができる。
【００１９】
（６）  温度検出手段により液晶表示パネルの環境温度を検出する工程と、
湿度検出手段により前記液晶表示パネルの環境湿度を検出する工程と、
前記液晶表示パネルの表示単位となる画素を所定サイズに纏めたブロックごとに環境温度、環境湿度、および前記環境温度と前記環境湿度に対応して、前記液晶表示パネルを黒表示した際の前記液晶表示パネルの光漏れ量を記憶した画素特性テーブルから、前記温度検出手段により検出された環境温度検出値および前記湿度検出手段により検出された湿度検出値に相当する光漏れ発生領域および光漏れ量を推定する工程と、
該推定された前記液晶パネルの光漏れがキャンセルされるように前記ブロックごとで駆動信号を補正する工程と、
を含む液晶表示装置の駆動方法。
【００２０】
上記の液晶表示装置の駆動方法によれば、ブロック単位で光漏れを確実に防止して、高精細な表示品質の表示を行うことができる。また、画素を所定サイズに纏めたブロック単位で光漏れが制御されるので、画素ごとに制御する場合と比較して演算処理が軽減される。
【００２１】
（７）  （５）または（６）記載の液晶表示装置の駆動方法であって、
前記駆動信号の補正が、駆動信号レベルの高低を調整する補正である液晶表示装置の駆動方法。
【００２２】
上記の液晶表示装置の駆動方法によれば、駆動信号レベルの電圧値の高低を調整することで光漏れの発生を防止できる。
【発明の効果】
【００２３】
本発明によれば、温度、湿度などの環境条件が変化する場合であっても、液晶表示装置の表示品質の低下を防止できる。
【発明を実施するための最良の形態】
【００２４】
以下、本発明に係る液晶表示装置の実施形態を図面に基づいて詳細に説明する。図１は本発明に係る液晶表示装置の主要部の構成を示すブロック図、図２は液晶表示パネルの要部断面図である。
【００２５】
図１に示すように、液晶表示装置１００は、主に、液晶表示パネル１１と、温度センサ１３と、湿度センサ１５と、制御部１７と、光漏れ情報記憶部１９と、駆動信号補正部２１と、駆動回路２３と、駆動ＩＣ２５とを備えている。更に、液晶パネル１１の表示部を撮像可能な撮像装置２７を備えている。
【００２６】
液晶表示パネル１１は、図２に示すように、水平方向及び垂直方向の各軸に沿う方向に一定の間隔で二次元配置された、対向配置される一対の上偏光板３１Ａと下偏光板３１Ｂ、および上偏光板３１Ａと下偏光板３１Ｂとの間に配置される液晶セル３３を備える。
【００２７】
上偏光板３１Ａおよび下偏光板３１Ｂは、偏光子３９と、該偏光子３９を挟んで対向配置された一対の保護膜４１とを備えている。また、液晶セル３３は、厚み方向に並べて配置された一対の液晶セル基板３５と、該一対の液晶セル基板３５の間に設けられた液晶層３７とを備える。一対の液晶セル基板３５の対向面には、画素電極や回路素子などが形成されており、駆動回路２３によって駆動されて駆動ＩＣ２５から出力される駆動信号に従って液晶セル３３に駆動電圧を印加する。
【００２８】
この液晶表示パネル１１は透過型であり、裏面側から入射する光（照明光）のうち一部分がこれを透過して表示面側に出射され、これが１つの画素として人間の目に映る。裏面側に配置されている下偏光板３１Ｂの偏光軸の方向と、表示面側に配置されている上偏光板３３Ａの偏光軸の方向とは、互いに直交するクロスニコル状態となっている。
【００２９】
液晶層３７に含まれている多数の液晶分子は、電圧が印加されると状態が変化して液晶層３７を通過する光の透過率が変化し、液晶表示パネル１１の表示面側に現れる光量、すなわち画素の明るさが変化する。
【００３０】
図３に示すように、液晶表示パネル１１の光透過率は、環境温度および環境湿度によって偏光板３３、特に光学補償フィルタ（図示せず）の光学特性（レターデーション）が変動する影響により、図中実線で示す特性曲線４３から破線で示す特性曲線４５に変化する。なお、図３に示す光学特性は、ノーマリホワイトである、例えば、ＯＣＢモードの液晶セル３３の特性であり、画素電極間に駆動電圧を印加しない状態では光透過率が高く、駆動電圧を印加すると光透過率が下がり黒色になる。
【００３１】
液晶表示パネル１１としては、ＴＮ（Twisted Nematic）、ＯＣＢ（Optically Compensatory Band）、ＶＡ（Vertically Aligned）、ＩＰＳ（In-Plane Switching）、など多くの種類があるが、本発明は特に液晶種類の制約はなく、目的に応じて適宜選択することができる。
【００３２】
温度センサ１３は、液晶表示パネル１１の使用環境における温度（環境温度）を検出するためのセンサであり、液晶表示パネル１１の筐体内部もしくは外部に設置される。内部に設置する場合は、温度センサ１３が表示の障害とならないように、液晶表示パネル１１の画像表示領域の外側、例えば、液晶表示パネル１１の周囲の縁部に配置される。
【００３３】
湿度センサ１５は、液晶表示パネル１１の使用環境における湿度（環境湿度）を検出するためのセンサであり、表示の障害とならないように、液晶表示パネル１１の画像表示領域の外側、例えば、液晶表示パネル１１の周囲の縁部に配置されている。なお、温度センサ１３、および湿度センサ１５の配置位置は、最終的な液晶表示装置１００の製品においては化粧板で隠れる箇所である。
【００３４】
湿度センサ１５は、液晶表示パネル１１の外側の湿度を測定可能な、電気式湿度計、乾湿式湿度計、伸縮式湿度計、露点計など、通常の湿度計であってもよいが、より精密に湿度による変動を補正するためには、偏光板３１の光学補償フィルム（図示せず）の湿度を直接測定することができる、例えば、含水率センサなどが望ましい。
【００３５】
湿度センサとしての含水率センサ１５は、液晶表示パネル１１の表面に装着された、電気抵抗を利用する抵抗式含水率計が例示される。この含水率センサ１５は、図示しないが、針状の電極を有しており、この電極が偏光板３１を突き抜けて光学補償フィルムに接触するように取り付けられている。これにより、液晶表示パネル１１内部の光学補償フィルムの内部に含まれている水分の含水量（水分量）を検出する。
【００３６】
含水率センサとしては、上記のような電気式含水率計（抵抗式含水率計）の他、高周波式含水率計、あるいは、加熱型、誘電型、電磁波型、熱伝導型など様々な種類のセンサが利用可能である。
【００３７】
湿度センサとしてこのような含水率センサ１５を使用することにより、光学補償フィルムそのものの含水量を直接測定することができるので、光学補償フィルムに特性変化が生じるような状況の変化を、遅延なくかつ正確に検出できる。
【００３８】
液晶表示パネル１１に設ける湿度センサ１５の数については、必要に応じて増減してもよい。例えば、大型の液晶表示パネル１１などの場合、パネルの場所の違いによってそれぞれの環境湿度や含水量が変化する可能性がある。そのため、単一のセンサだけでは正しい含水量等を検出できない場合がある。そこで、液晶表示パネル１１上の複数箇所にそれぞれ独立した湿度センサ（含水率センサ）１５を設置することで、より正確な含水量を場所毎に検出したり、パネル全体の平均的な含水量を検出することも可能になる。
【００３９】
また、パネルの場所毎に含水量が大きく異なるような場合であっても、複数の含水率センサ１５がそれぞれ検出した含水量と、各含水率センサ１５の設置位置との情報に基づき、液晶表示パネル１１の各領域の含水量の分布状況を表わす含水率マップを作成することができる。これにより、液晶表示パネル１１の区画された領域毎に独立した補正制御を実施できるので、パネルの全体に渡って正確な補償を行うことができる。
【００４０】
制御部１７は、マイクロコンピュータを含んで構成されて液晶表示装置１００の各部を制御する装置であり、温度センサ１３および湿度センサ１５によって検出された温度および湿度に基づいて、後述する光漏れ情報記憶部１９が記憶している補正データを参照し、駆動信号補正部２１から温度、湿度の影響を補正した駆動信号を駆動回路２３に出力させる。
【００４１】
次に、本発明の液晶表示装置１００の作用について図４から図８を参照して説明する。図４は液晶表示パネルの画素を示す正面図、図５は各画素における温湿度と光漏れ量との関係を示すテーブル、図６は各画素における光漏れ量と補正信号である補正電圧との関係を示すテーブル、図７は温度、湿度による液晶表示パネルの光学特性の変化を補正する手順を示すフローチャート、図８は補正前後の印加電圧を示すグラフである。
【００４２】
なお、一般に温度が上昇すると、飽和水蒸気量が増加するので、空気中の水蒸気量が同じであれば、相対湿度＝空気中の水蒸気量／飽和水蒸気量で表される相対湿度は下がる。このように、温度と湿度は連動して変化するので、温度と湿度とを環境温湿度として一括して取り扱うことができる。
【００４３】
先ず、光漏れ情報記憶部１９に液晶表示パネル１１の画素ごとの光漏れ量Ｋと温度Ｔおよび湿度Ｈとの相関関係を記憶させておく。図４から図６に示すように、環境温度ＴをＴ１〜Ｔｎに変化させると共に、環境湿度ＨをＨ１〜Ｈｍに変化させながら、黒表示させた液晶表示パネル１１の各画素（（Ｘ１，Ｙ１）・・・（Ｘｐ，Ｙｑ））の表示状態を撮像装置２７で撮像し、各環境温湿度Ｔ，Ｈにおける画素ごとの光漏れ量Ｋ（Ｋ１１〜Ｋｍｎ）を求め、各画素における環境温湿度Ｔ，Ｈと光漏れ量Ｋの複数の第１変換テーブル５１を作成する（図５参照）。
【００４４】
なお、上記実施例においては、液晶表示パネル１１の各画素の表示状態（光漏れ量）の測定は、撮像装置２７によって液晶表示パネル１１の表示部全体を撮像して対象とする画素の光漏れ量を検出するようにしたが、各画素あるいは代表点画素をピンポイントで測定するようにしてもよい。
【００４５】
第１変換テーブル５１から、更に、各画素における光漏れ量Ｋと補正信号である補正電圧Ｖ（Ｖ１１〜Ｖｉｊ）との第２変換テーブル５３（図６参照）を作成して光漏れ情報記憶部１９に記憶させる。
【００４６】
例えば、図５に示すように、画素Ｘ１，Ｙ１での環境温度Ｔ１、環境湿度Ｈ１における光漏れ量はＫ１１であり、画素Ｘｐ，Ｙｑでの環境温度Ｔｎ、環境湿度Ｈｍにおける光漏れ量はＫｎｍとなる。また、図６に示すように、画素Ｘ１，Ｙ１において光漏れ量がＫ１１であるとき、画素Ｘ１，Ｙ１の補正電圧はＶ１１であり、画素Ｘｐ，Ｙｑにおいて光漏れ量がＫｎｍであるとき、画素Ｘｐ，Ｙｑに対する黒表示時における補正電圧はＶｉｊとなる。
【００４７】
なお、この補正は、ＲＧＢの色に依存せず、一律に補正電圧を設定してもよいが、光学補償フィルムの特性変化により、黒表示してもＲＧＢのいずれかの光が液晶表示パネル１１の表示面に現われて、純粋な黒色とは異なる色味成分が現れることがある。このときには、ＲＧＢの色ごとに個別に第１、第２変換テーブル５１，５３を作成し、上記と同様にして画像信号を補正することにより、黒色とは異なる色味成分をなくすことができる。
【００４８】
液晶表示装置１００の駆動は、図７に示すように、環境温湿度Ｔ，Ｈを温度センサ１３および湿度センサ１５で測定し（ステップＳ１）、補正対象の画素を選定した後（ステップＳ２）、制御装置１７と駆動信号補正部２１が、第１変換テーブル５１を参照して、測定された環境温湿度Ｔ，Ｈにおける補正対象画素の光漏れ量Ｋを求め、更に第２変換テーブル５３を参照して、光漏れ量Ｋから該補正対象画素の補正電圧Ｖを決定する（ステップＳ３）。そして、ステップＳ４で、この補正が全画素で完了したか否かが判別され、完了していない場合ステップＳ２の前に戻り同様の動作が繰り返し行われる。完了しているとステップＳ５で各画素の補正電圧が記憶された補正テーブルが設定される。そして駆動回路２３は、入力された画像信号を、上記の黒表示時の補正電圧に基づいて各画素に対する駆動信号レベルを補正処理し、該補正された画像表示用の駆動信号を駆動ＩＣ２５を介して対象となる画素に印加する。このときの駆動信号レベルの補正処理は、入力された画像信号に対して、バイアス調整、ゲイン調整、バイアスとゲインの両方による調整、或いは、演算式により調整するなど、種々の補正方法が利用でき、適宜選択することができる。
【００４９】
図８は黒表示時に画素に印加される補正された印加電圧と、補正前の印加電圧とを比較して示すグラフであり、実線６１は補正前の印加電圧の波形であり、破線６３は補正された印加電圧の波形である。図８に示すように、黒表示を行う際、検出された環境温湿度Ｔ，Ｈに基づいて画素ごとに求められた補正電圧Ｖが該当する画素に印加され、環境温湿度Ｔ，Ｈによって変動する光学特性が補正されて光漏れが防止された純粋な黒色が表示される。
【実施例１】
【００５０】
本発明の効果を確認するため、本発明の液晶表示装置に係る実施例と、該実施例と比較する比較例について説明する。実施例及び比較例ともに、液晶表示装置としてノーマリホワイトであるＴＮ（Ｔｗｉｓｔｅｄ  Ｎｅｍａｔｉｃ）モードの液晶表示装置を用い、６０℃、ドライ状態の恒温槽で１００時間保持した後、２５℃、６０％ＲＨの環境で１時間放置して比較試験を行った。
【００５１】
２５℃、６０％ＲＨの環境で１時間放置した実施例及び比較例の液晶表示装置のバックライトを点灯して液晶表示装置内の温湿度を測定すると共に、このときの輝度の面内分布をトプコン社製輝度計ＳＲ−３で多点測定し、表示画面周辺部の輝度と、表示面中央部の輝度とを比較した。
【００５２】
液晶表示装置内の温湿度は、実施例及び比較例共に、５０℃、４０％ＲＨであった。また、表示面中央部の輝度に対する表示画面周辺部の輝度（表示画面周辺部の輝度／表示面中央部の輝度）は、実施例の液晶表示装置では略１．４倍であったのに対して、比較例の液晶表示装置では略２．５倍と大きかった。
【００５３】
なお、本発明は、前述した実施形態に限定されるものではなく、適宜、変形、改良、等が可能である。例えば、光学特性の補正は、画素ごとに限定されるものではなく、液晶表示パネルの表示面を所定サイズのブロックに分割し、ブロックごとに環境温湿度を測定すると共に光漏れ量を測定してそれらの相関関係を求め、ブロック単位で同様に処理して補正することができる。
【図面の簡単な説明】
【００５４】
【図１】本発明に係る液晶表示装置の主要部の構成を示すブロック図である。
【図２】液晶表示パネルの要部断面図である。
【図３】環境温湿度によって変動するノーマリホワイトの液晶表示パネルの印加電圧と光透過率の関係を示すグラフである。
【図４】液晶表示パネルの画素を示す正面図である。
【図５】各画素における温湿度と光漏れ量との関係を示す変換テーブルである。
【図６】各画素における光漏れ量と補正信号である補正電圧との関係を示す変換テーブルである。
【図７】温度、湿度による液晶表示パネルの光学特性の変化を補正する手順を示すフローチャートである。
【図８】画素に印加される補正前後の印加電圧を示すグラフである。
【図９】液晶表示パネルの光漏れ状態を示す図である。
【符号の説明】
【００５５】
３  縁部（画像表示面の周辺領域）
７  四隅（画像表示面の周辺領域）
１１  液晶表示パネル
１３  温度センサ（温度検出手段）
１５  湿度センサ（湿度検出手段）
１９  光漏れ情報記憶部（光漏れ情報記憶手段）
２１  駆動信号補正部（駆動信号補正手段）
２３  駆動回路（表示駆動手段）
３１  偏光板
３３  液晶セル
３５  液晶セル基板（基板）
３７  液晶層
５１  第１変換テーブル（画素特性テーブル）
５３  第２変換テーブル（画素特性テーブル）
１００  液晶表示装置
Ｈ  環境湿度
Ｔ  環境温度
Ｘ，Ｙ  画素
【図１】
2009162873.tif 000003
【図２】
2009162873.tif 000004
【図３】
2009162873.tif 000005
【図４】
2009162873.tif 000006
【図５】
2009162873.tif 000007
【図６】
2009162873.tif 000008
【図７】
2009162873.tif 000009
【図８】
2009162873.tif 000010
【図９】
2009162873.tif 000011